【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
所定のネットワークを介して所望の接続先に接続するための接続要求を行うタイミングを決定する決定操作を受け付ける操作受付部と、
前記決定されたタイミングで前記接続要求を行うように制御する制御部と
を具備する無線通信装置。
【請求項２】
前記操作受付部は、前記接続要求を行うための接続要求操作を受け付け、
前記制御部は、前記接続要求操作が受け付けられた場合に前記決定されたタイミングで前記接続要求を行う
請求項１記載の無線通信装置。
【請求項３】
前記操作受付部は、前記接続要求を即時に行うための第１操作と、所定条件を満たすタイミングで前記接続要求を行うための第２操作との何れかを前記決定操作として受け付け、
前記制御部は、前記第１操作が受け付けられた場合には前記接続要求操作が受け付けられた直後に前記接続要求を行い、前記第２操作が受け付けられた場合には前記接続要求操作が受け付けられた後に前記所定条件を満たすタイミングで前記接続要求を行う
請求項２記載の無線通信装置。
【請求項４】
前記所定条件を満たすタイミングは、前記無線通信装置が存在するエリアが所定の無線通信品質となるタイミングであり、
前記制御部は、前記第２操作が受け付けられた場合には前記無線通信装置が存在するエリアが前記所定の無線通信品質であるか否かを判断し、前記無線通信装置が存在するエリアが前記所定の無線通信品質であると判断されたときに前記接続要求を行う
請求項３記載の無線通信装置。
【請求項５】
前記制御部は、前記無線通信装置が存在するエリアが前記所定の無線通信品質となるエリアに関するエリア情報を取得し、当該取得されたエリア情報に基づいて当該所定の無線通信品質となるエリアを表示部に表示させる請求項４記載の無線通信装置。
【請求項６】
前記接続要求は、前記ネットワークを介して前記所望の接続先から所望のコンテンツを取得するための接続要求であり、
前記制御部は、前記第１操作が受け付けられた場合であっても、前記接続要求に応じて取得されるコンテンツのサイズが所定サイズを基準として大きいときには、前記接続要求操作が受け付けられた後に前記所定条件を満たすタイミングで前記接続要求を行う
請求項３乃至５の何れかに記載の無線通信装置。
【請求項７】
前記制御部は、前記第２操作が受け付けられた場合には前記所定条件を満たすタイミングで前記接続要求を行うための処理待ち情報を記憶部に記憶させ、
前記制御部は、前記記憶部に記憶されている処理待ち情報に基づいて前記接続要求を行う
請求項３乃至６の何れかに記載の無線通信装置。
【請求項８】
前記制御部は、前記記憶部に記憶されている前記処理待ち情報の一覧を表示部に表示させる請求項７記載の無線通信装置。
【請求項９】
前記操作受付部は、前記表示部に一覧表示されている前記処理待ち情報のうちから１または複数の処理待ち情報を削除するための削除操作を受け付け、
前記制御部は、前記削除操作が受け付けられた場合には当該削除操作に係る前記処理待ち情報を前記記憶部から削除する
請求項８記載の無線通信装置。
【請求項１０】
前記制御部は、前記第２操作が受け付けられた場合には前記接続要求操作が受け付けられてから前記接続要求が行われるまでの間、前記所定条件を満たすタイミングで前記接続要求を行う旨を表示部に表示させる請求項３乃至９の何れかに記載の無線通信装置。
【請求項１１】
前記所定条件を満たすタイミングは、前記無線通信装置が存在するエリアが所定の無線通信品質となるタイミングであり、
前記制御部は、前記第２操作が受け付けられた場合には、前記所定の無線通信品質となるエリアを検出して当該検出されたエリアに存在する無線通信装置に当該エリアが前記所定の無線通信品質である旨の通知を送信する情報処理装置から前記通知を受信した場合に前記接続要求を行う
請求項３記載の無線通信装置。
【請求項１２】
前記情報処理装置は、前記検出されたエリアに係る通信事業者であって前記所定の無線通信品質となる基地局に係る通信事業者に関する通信事業者情報を前記通知に含めて送信し、
前記制御部は、保持されている契約認証情報に係る通信事業者と前記受信した通知に含まれる通信事業者情報に係る通信事業者とが異なる場合には、前記受信した通知に含まれる通信事業者情報に係る契約認証情報を設定し、当該設定後に前記接続要求を行う
請求項１１記載の無線通信装置。
【請求項１３】
前記所定条件を満たすタイミングは、前記無線通信装置が存在するエリアが所定の無線通信費となるタイミングであり、
前記制御部は、前記第２操作が受け付けられた場合には前記無線通信装置が存在するエリアが前記所定の無線通信費となるエリアであるか否かを判断し、前記無線通信装置が存在するエリアが前記所定の無線通信費となるエリアであると判断された場合に前記接続要求を行う
請求項３記載の無線通信装置。
【請求項１４】
コンテンツを記憶する記憶部をさらに具備し、
前記接続要求は、前記所望の接続先に接続して当該接続先におけるコンテンツと前記記憶部に記憶されているコンテンツとを同期させるための接続要求であり、
前記操作受付部は、同期設定時刻において前記接続要求を行うための第１操作と、所定条件を満たすタイミングで前記接続要求を行うための第２操作との何れかを前記決定操作として受け付け、
前記制御部は、前記第１操作が受け付けられた場合には前記同期設定時刻において前記接続要求を行い、前記第２操作が受け付けられた場合には前記同期設定時刻が経過した後に前記所定条件を満たすタイミングで前記接続要求を行う
請求項２記載の無線通信装置。
【請求項１５】
前記制御部は、前記決定されたタイミングに基づいて前記接続要求に係る通信に関する料金プランを設定する請求項１乃至１４の何れかに記載の無線通信装置。
【請求項１６】
前記制御部は、前記ネットワークを介して前記所望の接続先からコンテンツのサイズに関するサイズ情報を取得して当該サイズ情報に基づいて前記コンテンツのサイズを表示部に表示させ、
前記操作受付部は、前記コンテンツのサイズが表示された後に、前記第１操作または前記第２操作を受け付ける
請求項３乃至１３の何れかに記載の無線通信装置。
【請求項１７】
前記制御部は、前記無線通信装置が存在するエリアの通信速度の予測値を算出し、前記ネットワークを介して前記所望の接続先からコンテンツのサイズに関するサイズ情報を取得して当該サイズ情報と前記算出された通信速度の予測値とに基づいて前記コンテンツのダウンロードに要する予測時間を算出し、前記算出された予測時間を表示部に表示させ、
前記操作受付部は、前記算出された予測時間が表示された後に、前記第１操作または前記第２操作を受け付ける
請求項３乃至１３の何れかに記載の無線通信装置。
【請求項１８】
所定のネットワークを介して所望の接続先に接続して当該接続先から所望のコンテンツを取得するための代行要求を無線通信装置から受信した場合に当該接続先から前記所望のコンテンツを取得する制御を行う制御部と、
前記取得されたコンテンツを所定条件を満たすタイミングで前記無線通信装置に送信する送信制御部と
を具備する情報処理装置。
【請求項１９】
前記制御部は、複数の無線通信装置から前記代行要求を受信した場合には前記代行要求毎にコンテンツを取得し、
前記送信制御部は、前記取得されたコンテンツを前記所定条件を満たすタイミングに従って前記複数の無線通信装置毎に送信する
請求項１８記載の情報処理装置。
【請求項２０】
所定のネットワークを介して所望の接続先に接続するための接続要求を行うタイミングを決定する決定操作を受け付ける操作受付手順と、
前記決定されたタイミングで前記接続要求を行うように制御する制御手順と
を具備する無線通信装置の制御方法。